(57)【要約】【課題】植栽樹木を堅固に支持し得てその倒壊を確実に防止可能であり、施工性や意匠的にも優れる有効適切な植栽樹木の支持具およびその設置方法を提供する。【解決手段】植栽樹木１の根鉢２を取り囲んでその周囲の地中に埋設される地中枠体３と、植栽樹木の周囲に立設される複数本の支柱４からなり、支柱の下端部が地中枠体に対して連結され、かつ支柱の上端部が植栽樹木の樹幹を支持可能に構成されている。地中枠体を井桁状としてそれに支柱の下端部を連結金具により揺動自在に連結することが好ましい。地中枠体に対して支柱の下端部を予め揺動可能に連結しておき、地中枠体を植穴６内の外周部に配置するとともに支柱を外側に向けて展開させておき、その状態で根鉢を植穴内に配置した後、支柱を内側に起立せしめて植栽樹木を仮支持し、しかる後に植穴を埋め戻すという手順で施工することが好ましい。【選択図】図１
2014036598.tif 000002
【特許請求の範囲】
【請求項１】
植栽樹木を支持してその倒壊を防止するための支持具であって、
前記植栽樹木の根鉢を取り囲んでその周囲の地中に埋設される地中枠体と、前記植栽樹木の周囲に立設される複数本の支柱からなり、
前記支柱の下端部が前記地中枠体に対して連結され、該支柱の上端部が前記植栽樹木の樹幹を支持可能に構成されていることを特徴とする植栽樹木の支持具。
【請求項２】
請求項１記載の植栽樹木の支持具であって、
前記地中枠体は４本の水平材の端部どうしが連結されて井桁状に組み立てられてなり、前記支柱の下端部が前記水平材どうしの連結部に対して連結金具により揺動自在に連結されていることを特徴とする植栽樹木の支持具。
【請求項３】
請求項１または２記載の植栽樹木の支持具を設置するための設置方法であって、
前記植栽樹木の根鉢を埋設可能かつ該根鉢の周囲に前記地中枠体を埋設可能な大きさの植穴を掘削し、
前記地中枠体に対して前記支柱の下端部を予め揺動可能に連結して、該地中枠体を前記植穴内の外周部に配置するとともに、前記支柱を前記地中枠体の外側に向けて展開させておき、
その状態で前記地中枠体の内側に前記根鉢を配置した後、前記支柱を内側に起立せしめて該支柱の上端部を前記植栽樹木の樹幹に対して連結することにより、該支柱および前記地中枠体により前記植栽樹木を仮支持し、
しかる後に、前記植穴を埋め戻して前記根鉢とともに前記地中枠体および前記支柱の下端部を地中に埋設することを特徴とする植栽樹木の支持具の設置方法。
【発明の詳細な説明】
【技術分野】
【０００１】
本発明は、植栽樹木を支持して暴風等により倒木することを防止するための支持具およびその設置方法に関する。
【背景技術】
【０００２】
周知のように、公園や緑地の造成あるいは建物や各種の構造物を構築する際における外構工事として植栽が行われることが一般的であり、樹高が8m以上にも及ぶような大樹を移植することも多い。
そのような場合、少なくとも植栽樹木が十分に根付くまでの間は転倒を防止するために支持しておく必要があり、そのための各種の支持具が提案され実用化されている。
【０００３】
この種の支持具としては、たとえば特許文献１〜２に示されるように植栽樹木の周囲に複数本（通常は２本〜４本）の支柱を立てて樹幹を支持する地上支柱形式のもの、あるいは特許文献３〜６に示されるように根鉢の周囲に多数の地中杭やアンカー類を埋設して根鉢を定着する地下支柱形式のものが一般的である。
【先行技術文献】
【特許文献】
【０００４】
【特許文献１】実開昭６２−１８７５７１号公報
【特許文献２】実公平４−４８６８５号公報
【特許文献３】特開平９−５６２７０号公報
【特許文献４】特開２０００−２４５２７３号公報
【特許文献５】特開２００１−１２８５６８号公報
【特許文献６】特開２００９−２７３３８４号公報
【発明の概要】
【発明が解決しようとする課題】
【０００５】
近年、竜巻やゲリラ豪雨を始めとする異常気象ともいえる事象が頻発し、都市域では暴風による街路樹等の倒木事故がしばしば発生している。特に臨海部においては暴風と同時に大雨による地盤の緩みも影響することから大樹の倒木事故が今後多発することが懸念される。
【０００６】
そのため、植栽樹木の倒木事故を確実に防止するための対策を講じる必要があるとされているが、特許文献１〜６に示されるような従来一般的な支持具によることでは必ずしも十分な支持力が得られないし、支持力を十分に増強することも容易ではない。
すなわち、特許文献１〜２に示されるような地上支柱形式のものは支柱自体が比較的容易に引き抜かれてしまって支持力を早期に失ってしまう場合があり、特許文献３〜６に示されるような地下支柱形式のものは植穴内における根鉢の回転や滑りを必ずしも十分に拘束できない場合があり、いずれも暴風による倒木事故を十分に防止し得るものではない。
【０００７】
また、上記従来の各種の支持具は、支持力が十分ではないばかりか、施工者の技量や経験により施工精度が少なからず左右されるものであるし、施工性や意匠的に均一な施工完成度による見栄えの点でも改善の余地があるともされている。
【０００８】
上記事情に鑑み、本発明は植栽樹木を堅固に支持し得てその倒壊を確実に防止し得ることはもとより、施工性や意匠的にも優れる有効適切な植栽樹木の支持具およびその設置方法を提供することを目的とする。
【課題を解決するための手段】
【０００９】
請求項１記載の発明は、植栽樹木を支持してその倒壊を防止するための支持具であって、前記植栽樹木の根鉢を取り囲んでその周囲の地中に埋設される地中枠体と、前記植栽樹木の周囲に立設される複数本の支柱からなり、前記支柱の下端部が前記地中枠体に対して連結され、該支柱の上端部が前記植栽樹木の樹幹を支持可能に構成されていることを特徴とする。
【００１０】
請求項２記載の発明は、請求項１記載の植栽樹木の支持具であって、前記地中枠体は４本の水平材の端部どうしが連結されて井桁状に組み立てられてなり、前記支柱の下端部が前記水平材どうしの連結部に対して連結金具により揺動自在に連結されていることを特徴とする。
【００１１】
請求項３記載の発明は、請求項１または２記載の植栽樹木の支持具を設置するための設置方法であって、前記植栽樹木の根鉢を埋設可能かつ該根鉢の周囲に前記地中枠体を埋設可能な大きさの植穴を掘削し、前記地中枠体に対して前記支柱の下端部を予め揺動可能に連結して、該地中枠体を前記植穴内の外周部に配置するとともに、前記支柱を前記地中枠体の外側に向けて展開させておき、その状態で前記地中枠体の内側に前記根鉢を配置した後、前記支柱を内側に起立せしめて該支柱の上端部を前記植栽樹木の樹幹に対して連結することにより、該支柱および前記地中枠体により前記植栽樹木を仮支持し、しかる後に、前記植穴を埋め戻して前記根鉢とともに前記地中枠体および前記支柱の下端部を地中に埋設することを特徴とする。
【発明の効果】
【００１２】
本発明の植栽樹木の支持具は、根鉢の周囲の地中に地中枠体を水平姿勢で埋設したうえでその地中枠体に対して支柱の下端部を連結しているので、地中枠体が抜け止めとして機能して支柱を単に地中に打ち込む場合に比べれば引き抜き耐力が格段に向上するものとなり、したがって従来一般的な地上支柱形式の支持具による場合に比べて植栽樹木に対する転倒防止効果を十分に高めることができる。
また、根鉢の周囲に地中枠体を埋設しているのでその地中枠体によって植穴内における根鉢の回転や滑りを有効に拘束可能であり、それによる植栽樹木の転倒防止効果も期待できるし、植穴内に多数の地中杭やアンカー類を設ける必要のある従来一般的な地下支柱形式のものに比べれば、根鉢の周囲に植栽用客土を十分に充填可能であるし、根鉢を傷めることが少なく、根の成長を妨げ難いという利点もある。
そして、本発明の植栽樹木の支持具は、地中枠体に対して支柱の下端部を連結しただけの簡単な構成であるので、誰でも簡単にしかも見栄え良く施工することが可能なものであるし、各構成要素の仕様を一定の規格に基づいて設定して予め大量生産しておけば支持具全体を十分に安価に製作することが可能である。
【００１３】
さらに、本発明の植栽樹木の設置方法によれば、上記の支持具を設置するに際して地中枠体に対して支柱の下端部を予め揺動可能に連結しておき、地中枠体を植穴内の外周部に配置するとともに支柱を外側に向けて展開させた状態としてその内側に根鉢を配置した後、支柱を内側に起立せしめてその上端部を植栽樹木の樹幹に対して連結して植栽樹木を仮支持し、しかる後に植穴を埋め戻すようにしたので、現場での施工者の技量や経験に左右されることなく工業的手法により誰でもが簡単にしかもばらつきが生じることなく精度良く施工することが可能となる。
【図面の簡単な説明】
【００１４】
【図１】本発明の実施形態である支持具の概略構成とその施工手順を説明するための図である。
【発明を実施するための形態】
【００１５】
本発明の植栽樹木の支持具およびその設置方法の実施形態について図１を参照して説明する。
本実施形態の支持具は植栽樹木１を支持してその倒壊を防止するためのものであって、植栽樹木１の根鉢２を取り囲んでその周囲の地中に埋設される地中枠体３と、植栽樹木１の周囲に立設される複数本（図示例では４本）の支柱４からなり、それら支柱４の下端部がそれぞれ地中枠体３に対して連結されており、かつ支柱４の上端部が植栽樹木１の樹幹を支持可能に構成されている。
【００１６】
図示例の実施形態では、地中枠体３は４本の水平材３ａの端部どうしが連結されて井桁状に組み立てられ、その地中枠体３の角部（水平材３ａどうしの連結部）に対して支柱４の下端部がそれぞれ連結され、それら支柱４の上端部が植栽樹木１の樹幹に装着した適宜の横木５に対して連結されるようになっている。
すなわち、本実施形態の支持具は全体としてほぼ正四角錐状の形態をなすように組み立てられて、地中枠体３および支柱４の下端部が根鉢２の周囲の地中に対して埋設されることによって植栽樹木１の周囲に安定かつ堅固に設置され、その状態で支柱４により植栽樹木１の樹幹を周囲から支持してその倒壊を確実に防止し得るものである。
【００１７】
本実施形態の支持具における水平材３ａおよび支柱４の素材、強度、長さおよび断面の寸法等の仕様は、支持対象の植栽樹木１の樹高や根鉢２の大きさ、目通りその他の条件を考慮して適宜設定すれば良いが、いずれにしてもそれら水平材３ａと支柱４により組み立てられる四角錐状の支持具の全体によって植栽樹木１を堅固に支持してその倒壊を有効に防止し得る強度と形態を備えたものとすれば良い。
その限りにおいて、水平材３ａや支柱４の素材としてはたとえば天然木材である丸太材（杉丸太等）が好適に採用可能であるが、あるいは建設資材としての鋼管等も採用可能である。
なお、地中枠体３や支柱４に対しては耐用年数を考慮して適宜の処理を行うことが好ましく、特に天然木材を用いる場合には防腐処理を、鋼管等の建設資材を用いる場合には防錆処理や塗装を行うことが好ましい。
【００１８】
また、地中枠体３に対する支柱４の下端部の連結や、植栽樹木１の樹幹に装着した横木５に対する支柱４の上端部の連結は、後述する手順で設置作業を行う場合には支柱４の下端部を地中枠体３に対して予め揺動自在（鉛直面内において各方向への回転自在）に連結しておくことが好ましく、その場合には揺動可能に連結するための連結金具（図示せず）として、たとえば仮設資材としての鋼管どうしを連結するための汎用のクランプ金具の類（直交リングや自在リング等と通称されているもの）が好適に採用可能である。
【００１９】
上記の支持具の設置方法、すなわちその支持具を支持対象の植栽樹木１の周囲に設置してそれにより植栽樹木１を支持するための作業手順について以下に説明する。
まず、植栽樹木１の根鉢２を埋設するための植穴６を掘削するが、その大きさは根鉢２の周囲に地中枠体３を配置して一緒に埋設可能なようにその地中枠体３の形状・寸法に対応させて本来の植穴６よりもやや大きくしておく。図示例の場合は地中枠体３が井桁状（ほぼ正方形の枠状）であることから、その地中枠体３よりもやや大きい正方形状の植穴６を掘削すれば良い。
【００２０】
一方、予め４本の水平材３ａを井桁状に連結して地中枠体３を組み立てておき、さらにその地中枠体３に対して支柱４の下端部を上述したような連結金具を用いて揺動可能に連結しておくことによって、１ユニットの支持具を予め組み立てておく。
そして、そのユニット化した支持具を植穴６内に配置して地中枠体３を植穴６内の外周部に水平に敷設するとともに、この時点では４本の支柱４をそれぞれ外側に展開して図１において鎖線で示すように地中枠体３よりも外側に向けて傾斜させた状態としておく。
【００２１】
その状態で、植栽樹木１を植穴６の上方から徐々に吊り降ろして、地中枠体３の内側に根鉢２を配置する。その際、上記のように支柱４を外側に展開させておくことにより、植穴６の直上空間は開放されているから支柱４が吊り降ろし作業の邪魔になることはない。
根鉢２を植穴６内に吊り降ろしたら、支柱４を実線で示すように内側に向けて起立させてその上端部を樹幹に臨ませ、樹幹に対して適宜の横木５を介して連結することにより、この時点で植栽樹木１を転倒不能に安定に仮支持する。
【００２２】
しかる後に、通常のように植穴６を埋め戻して根鉢２を植穴６内に埋設するとともに、根鉢２とともに地中枠体３および支柱４の下端部もそのまま埋設してしまえば良い。
以上により、植栽樹木１の移植と同時に支持具の設置作業が完了し、特に支持具は地中枠体３およびそれに連結された支柱４の下端部が地中に埋設されることによって堅固に設置され、したがって植栽樹木１はその支持具により周囲から安定に支持されてその倒壊が確実に防止されるものとなる。
【００２３】
上記構成の支持具は、根鉢２の周囲の地中に地中枠体３を水平姿勢で埋設したうえでその地中枠体３に対して支柱４の下端部を連結しているので、地中枠体３が抜け止めとして機能するものとなって支柱４を単に地中に打ち込む場合に比べれば引き抜き耐力が格段に向上するものとなり、したがって特許文献１〜２に示されるような従来一般的な地上支柱形式の支持具による場合に比べて植栽樹木１に対する転倒防止効果を十分に高めることができる。
また、根鉢２の周囲に地中枠体３を埋設しているのでその地中枠体３によって植穴６内における根鉢２の回転や滑りを有効に拘束可能であり、それによる植栽樹木１の転倒防止効果も期待できる。
【００２４】
したがって本発明の支持具によれば、上記のように引き抜き耐力に優れた支柱４による支持効果と、地中枠体３による根鉢２に対する回転や滑りの防止効果とによる相乗効果によって、暴風等による植栽樹木１の倒木事故を確実に防止することが可能である。
なお、地中枠体３は根鉢２の周囲に埋設されるだけなので、植穴６内に多数の地中杭やアンカー類を設ける必要のある従来一般的な地下支柱形式のものに比べれば、根鉢２の周囲に植栽用客土を十分に充填可能であるし、根鉢２を傷めることも少なく、根の成長を妨げ難いという利点もある。
【００２５】
特に本実施形態の支持具は、４本の水平材３ａを井桁状に連結した地中枠体３に対して４本の支柱４の下端部を連結しただけの簡単な構成であるので、誰でも簡単にしかも見栄え良く施工することが可能なものである。
そして、各構成要素である水平材３ａと支柱４の寸法や形状、素材等の仕様、およびそれらを連結するための連結手段を一定の規格に基づいて設定してそれらを予め大量生産しておけば、この支持具全体を十分に安価に製作することが可能である。
さらに、その支持具の設置に当たっては上記のように予め支柱４を地中枠体３に対して揺動自在に組み付けたユニットとして取り扱うこととして、そのような作業手順を予めマニュアルとして規定しておけば、施工者の技量や経験に左右されない工業的手法によって誰でもが簡単にしかも精度良く均一に施工することが可能であり、完成状態にばらつきが生じたり見栄えを損なうこともない。
【００２６】
以上で本発明の実施形態について説明したが、本発明は上記実施形態に限定されるものではなく、たとえば以下に列挙するような適宜の設計的変更や応用が可能である。
【００２７】
上記実施形態の支持具は、地中枠体３を４本の水平材３ａを井桁状に組み立てた形態としたが、地中枠体３を円形枠状とすることも考えられる。その場合、円弧をいくつかに分割した（たとえば２〜４分割とすることが現実的である）複数の湾曲部材を水平材３ａとして用いてそれを連結することで全体として円形の地中枠体３を形成すれば良い。
【００２８】
上記実施形態の支持具は、地中枠体３を井桁状としたことからそれを埋設するために植穴６も四角形状に掘削するものとしたが、上記のように地中枠体３を円形とする場合には植穴６も通常のように円形としたうえで、通常よりもやや大きくして根鉢２の周囲に地中枠体３を埋設するためのスペースを確保すれば十分である。
【００２９】
上記実施形態では、根鉢２を埋設するための本来の植穴６内の外周部に地中枠体３も一緒に埋設するようにし、したがって植穴６全体を本来の大きさよりも地中枠体３の埋設分だけ大きく掘削するようにしたが、根鉢２の大きさに比べて地中枠体３を十分に大きくする必要があるような場合（換言すれば、根鉢２の大きさが地中枠体３よりも十分に小さいような場合）には、植穴６を通常どうり根鉢２を埋設するものとして掘削し、その周囲に地中枠体３を埋設するための溝穴を植穴６とは別に掘削することでも良い。
その場合、地中枠体３を井桁状とする場合には本来の植穴６の外側にそれを取り囲むようにして四角形の溝穴を掘削すれば良く、地中枠体３を円形とする場合には本来の植穴６の外側にそれを取り囲むようにして円形の溝穴を掘削すれば良い。
【００３０】
上記実施形態の支持具は４本の支柱４を備えたものであるが、支柱４の本数は増減可能であり、たとえば２本の支柱４のみで植栽樹木１の両側から鳥居形の形態で支持したり、３本の支柱４により３方から支持することでも良く、特に大樹であるような場合において必要であれば５本以上の多数の支柱４により多方向から支持する構成とすることでも良い。
勿論、支柱４の長さ（高さ）も任意であり、特に大樹を支持するような場合において可及的に高所を支持する必要がある場合には支柱４を十分に長いものとすれば良く、それに応じて地中枠体３も支柱４に対して十分な引き抜き耐力を持たせることができるように最適な平面形状や寸法とし、その埋設深度や地中枠体３に対する支柱４の連結の形態も適宜設定すれば良い。
【００３１】
本発明の支持具を設置するための設置方法としては、上記実施形態のように予め支持具を１ユニットとして組み立てて支柱４の下端部を地中枠体３に対して揺動自在に連結しておき、そのユニット化した支持具を植穴６内に配置して支柱４を外側に向けて展開させた状態で植穴６内に植栽樹木１を定置した後、支柱４を内側に向けて起立させて植栽樹木１を仮支持し、しかる後に植穴６を埋め戻して根鉢２とともに地中枠体３および支柱４の下端部を埋設するという手順によることが好ましく、それにより最も効率的にかつ工業的手法により精度良く施工し得る。
【００３２】
但し、本発明の支持具は必ずしもそのような手順で設置することに限定されるものではなく、完成状態において支柱４の下端部および上端部が地中枠体３および樹幹に対して連結されていれば自ずと十分な支持力が得られるから、本発明の支持具は必要に応じて上記実施形態とは異なる適宜の手順で施工することも妨げるものではない。
たとえば、植穴６内に根鉢２を配置した後、その周囲に水平材３ａを配置して地中枠体３を組み立て、さらにその地中枠体３に対して支柱４の下端部を連結することによりその時点で支持具を組み立てる（その場合には、支柱４は地中枠体３に対して必ずしも揺動可能に連結することはない）という手順としても良く、それによっても最終的な完成状態は上記実施形態の場合と同様となるので同様の支持効果が得られるものとなる。
【符号の説明】
【００３３】
１  植栽樹木
２  根鉢
３  地中枠体
３ａ  水平材
４  支柱
５  横木
６  植穴
【図１】
2014036598.tif 000003